(57)【要約】      （修正有）【課題】コレットの形状が原因で発生していた抜き出し後の紛失を解決し、わざわざ買い求める煩雑さを一挙に解決させたマグネットベース用落下防止機能付きコレットを提供する。【解決手段】計測器を嵌脱するコレットａを嵌挿する計測器取付け孔を有するマグネットベースにおいて、前記コレットａを構成する円筒形状の胴体部１の左開口部２と右開口部３にかけてスリット４を形成し、前記左開口部２もしくは右開口部３の何れか一方の開口部の外周部５に鍔状落下防止部６を突設せしめた。【選択図】図１
0003155483.tif 000002
【実用新案登録請求の範囲】
【請求項１】
計測器を嵌脱するコレットを嵌挿する計測器取付け孔を有するマグネットベースにおいて、
前記コレットを構成する円筒形状の胴体部の左開口部と右開口部にかけてスリットを形成し、前記左開口部もしくは右開口部の何れか一方の開口部の外周部に鍔状落下防止部を突設せしめることを特徴とするマグネットベース用落下防止機能付きコレット。
【請求項２】
前記コレットの鍔状落下防止部が、前記開口部の外周部に一体に突設することを特徴とする請求項１に記載のマグネットベース用落下防止機能付きコレット。
【請求項３】
前記コレットの鍔状落下防止部が、前記開口部の外周部に、複数個所所定の間隔おきに複数グループをもって突設することを特徴とする請求項１もしくは２に記載のマグネットベース用落下防止機能付きコレット。
【請求項４】
前記コレットの鍔状落下防止部が、同一幅員と同一の高さをもって突設せしめることを特徴とする請求項１〜３のいずれか１項に記載のマグネットベース用落下防止機能付きコレット。
【考案の詳細な説明】
【技術分野】
【０００１】
本考案は、マグネットベース用落下防止機能付きコレットの分野に関するものである。
【背景技術】
【０００２】
従来、ダイハンドリング部コレット上下機構として特開平５−１３１３８６号公開特許公報が開示されている。
【０００３】
このダイハンドリング部コレット上下機構は、計測器具としてのダイヤルゲージ等をコレットを介して嵌着させながら計測をするものではない。
【０００４】
さらに、従来のマグネットベースに、脚部の径が異なるダイヤルゲージ等の計測器具をスムーズに挿入し、適度の締付けを媒介する内部が中空状にして左右両サイドの開口部にかけてスリットが形成され、外周面がフラット状のコレットを前記マグネットベースの計測器取付け孔に挿入し、前記ダイヤルゲージ等の計測器具をコレットを介して嵌着していた。
【先行技術文献】
【特許文献】
【０００５】
【特許文献１】特開平５−１３１３８６号公開特許公報
【考案の概要】
【考案が解決しようとする課題】
【０００６】
従来は、マグネットベースにダイヤルゲージ等の計測器具を嵌着するのに、前記計測器の脚部の径に見合った径のコレットを、前記マグネットベースのコレット取付け孔内に挿入し使用している。
【０００７】
そして、従来から開示のコレット形状は、左右両側の開口部を有する円筒状にして、且胴体部にスリットが入り、外側面部はフラット状をしていた。
【０００８】
そのため、マグネットベースに嵌挿していた計測器を取出し、別の径の計測器と交換するときは、マグネットベースのアームに取着のノブを緩めて既に嵌挿中のコレットを抜き出すがその際突然脱落して、工場内の設備の隙間や床下に転って紛失してしまい、ユーザーは、紛失したらいちいち別売りのコレット単体を買い求める必要があった。
【０００９】
しかるに、本考案はかかる従来のコレットの形状が原因で発生していた抜き出し後の紛失を解決すると共に、わざわざ買い求める煩雑さを一挙に解決させたものである。
【課題を解決するための手段】
【００１０】
課題を解決するための手段としての請求項１記載の考案は、計測器ｋを嵌脱するコレットａを嵌挿する計測器取付け孔７を有するマグネットベースＡにおいて、前記コレットａを構成する円筒形状の胴体部１の左開口部２と右開口部３にかけてスリット４を形成し、前記左開口部２もしくは右開口部３の何れか一方の開口部の外周部５に鍔状落下防止部６を突設せしめることを特徴とするマグネットベース用落下防止機能付きコレットである。
【００１１】
課題を解決するための手段としての請求項２記載の考案は、前記コレットの鍔状落下防止部６が、前記開口部の外周部５に一体に突設することを特徴とする請求項１に記載のマグネットベース用落下防止機能付きコレットである。
【００１２】
課題を解決するための手段としての請求項３記載の考案は、前記コレットの鍔状落下防止部６が、前記開口部の外周部５に、複数個所所定の間隔おきに複数グループをもって突設することを特徴とする請求項１もしくは２に記載のマグネットベース用落下防止機能付きコレットである。
【００１３】
課題を解決するための手段としての請求項４記載の考案は、前記コレットの鍔状落下防止部６が、同一幅員と同一の高さをもって突設せしめることを特徴とする請求項１〜３の何れかに記載のマグネットベース用落下防止機能付きコレットである。
【考案の効果】
【００１４】
請求項１記載の考案は、計測器ｋを嵌脱するコレットａを嵌挿する計測器取付け孔７を有するマグネットベースＡにおいて、前記コレットａを構成する円筒形状の胴体部１の左開口部２と右開口部３にかけてスリット４を形成し、前記左開口部２もしくは右開口部３の何れか一方の開口部の外周部５に鍔状落下防止部６を突設せしめるマグネットベース用落下防止機能付きコレットなので、マグネットベースに嵌着の計測器を別径の計測器と交換するため、ノブを緩め嵌挿中のコレットを抜き出し万一、床等に落下したとしても、鍔状落下防止部によって、床面もしくはテーブル面上をころがりにくい利点がある。そのため、従来応々して落下していたコレットが、ころころところがりにくいので、紛失のおそれや、新規な買い求めをすることが解消されると共に、極めて経済メリットが大きい利点がある。
【００１５】
請求項２記載の考案は、前記コレットの鍔状落下防止部６が、前記開口部の外周部５に一体に突設するマグネットベース用落下防止機能付きコレットなので、前記請求項１記載の考案と同じ効果を有している。
【００１６】
請求項３記載の考案は、前記コレットの鍔状落下防止部６が、前記開口部の外周部５に、複数個所所定の間隔おきに複数グループをもって突設するマグネットベース用落下防止機能付きコレットなので、前記請求項１に記載の考案と同じ効果を有している。
【００１７】
請求項４記載の考案は、前記コレットの鍔状落下防止部６が、同一幅員と同一の高さをもって突設せしめるマグネットベース用落下防止機能付きコレットなので、前記請求項１に記載の考案と同じ効果を有している。
【図面の簡単な説明】
【００１８】
【図１】本考案マグネットベース用落下防止機能付きコレットの斜視図である。
【００１９】
【図２】同コレットの正面図である。
【００２０】
【図３】同コレットの右側面図である。
【００２１】
【図４】同コレットを使用するマグネットベースの斜視図である。
【００２２】
【図５】同マグネットベースの第２実施例の斜視図である。
【００２３】
【図６】同マグネットベースの第３実施例の斜視図である。
【００２４】
【図７】同コレットの嵌挿前の状態を示す一部正面と斜視図である。
【００２５】
【図８】同コレットの嵌挿前の状態を示す一部正面と斜視図である。
【考案を実施するための形態】
【００２６】
本考案の請求項１〜４に記載の考案に関する実施形態は、共通しているので以下のとおり一括して説明する。
【００２７】
図において、Ａはマグネットベースであり、図４、５、６のように形状が異なっている。
【００２８】
ａはコレットであり、以下の構成からなっている。
【００２９】
このコレットａは、前記マグネットベースＡに形成されている計測器ｋの脚部を嵌挿する計測器取付け孔７内に嵌挿もしくは抜き出し使用する。
【００３０】
そして、このコレットａは、計測器取付け孔７の径をφ＝８ｍｍ保持用からφ＝６ｍｍ保持用に変換するものである。
【００３１】
さらに、前記コレットａは、所定長さの円筒形状の胴体部１にして、且左開口部２と右開口部３を有し、前記左開口部２から右開口部３にかけてスリット４が形成されている。
【００３２】
そして、前記２つの開口部の中、何れか一方の開口部、例えば右開口部３の開口縁部の外側の外周部５に鍔状落下防止部６を形成する。
【００３３】
そして、前記鍔状落下防止部６は、スリット４の部分を除いた外周部５に一体にして形成する。
【００３４】
さらに、前記鍔状落下防止部６は、同一幅員と同一高さをもって形成する。
【００３５】
また、前記鍔状落下防止部６は、図面図示のように右開口部３の外周部５に、帯状のように一体として突設する以外に、所定の間隔おきに複数グループに区分けして突設してもよい。
【００３６】
８はマグネットベースＡを構成するアーム部であり、このアーム部８に先端部にコレットａを嵌挿せしめる計測器取付け孔７が形成されている。
【００３７】
前記取付け孔７内に、前記コレットａの鍔状落下防止部６を上方にして前記コレットａを挿込んでやる。
【００３８】
そのとき前記コレットａの落下防止部６が前記取付け孔７の開口部に係止し落下はしない。
【００３９】
そして、別の計測器ｋと交換するため、ノブを緩め嵌挿中のコレットａを抜き出し、テーブル面に載置しても、ころがりにくい。
【００４０】
また、床面に落下してもころがりにくいので、すぐに発見できる。
【符号の説明】
【００４１】
Ａ  マグネットベース
ａ  コレット
ｋ  計測器
１  胴体部
２  左開口部
３  右開口部
４  スリット
５  外周部
６  鍔状落下防止部
７  取付け孔
８  アーム部
【図１】
0003155483.tif 000003
【図２】
0003155483.tif 000004
【図３】
0003155483.tif 000005
【図４】
0003155483.tif 000006
【図５】
0003155483.tif 000007
【図６】
0003155483.tif 000008
【図７】
0003155483.tif 000009
【図８】
0003155483.tif 000010